(57)【要約】 【課題】  駆動源を用いずともメダルを回収することができ、且つ、簡単に取りつけ取り外しを行うことができる遊技機のメダル搬送装置を提供する。【解決手段】  遊技機設置島の下部に島端部方向に低く傾斜させて凹状の溝部３１を有する搬送レール３を横設したうえに、遊技機１下部のメダル排出シュート４と搬送レール３との間に、遊技機１から排出されたメダルを一枚ずつ搬送レール３に誘導するための補助誘導部材２を介設する。補助誘導部材２により遊技機１から排出されたメダルを一枚ずつ立てた状態で搬送レール３の溝部３１に投入したうえ、このメダルを搬送レール３にて立てた状態で自重により転動流下させて島の端部に回収する。【選択図】    図３
2005074083.tif 000002
【特許請求の範囲】
【請求項１】
複数台の遊技機が並列設置された遊技機設置島の端部方向へ遊技機から排出されたメダルを回収搬送するための遊技機のメダル搬送装置において、該メダル搬送装置は、遊技機設置島の下部に該端部方向に低く傾斜させて横設した凹状の溝部を有する搬送レールと、該遊技機から排出されたメダルを該溝部に一枚ずつ確実に誘導するための補助誘導部材とからなり、該補助誘導部材を遊技機に設けたメダル排出シュートの排出口に連設させ、且つ搬送レールに着脱自在に設けたことを特徴とする遊技機のメダル搬送装置。
【請求項２】
補助誘導部材は、遊技機下部に設けたメダル排出シュートの排出口に連設されて、メダル排出シュートから排出されたメダルを一枚ずつ立てた状態で搬送レールの溝部に投入するメダル誘導路を有している請求項１に記載のメダル搬送装置。
【請求項３】
複数台の遊技機が並列設置された遊技機設置島の端部方向へ遊技機から排出されたメダルを回収搬送するための遊技機のメダル搬送装置において、該メダル搬送装置は、遊技機設置島の下部に該端部方向に低く傾斜させて横設した凹状の溝部を有する搬送レールと、該遊技機から排出されたメダルを該溝部に一枚ずつ確実に誘導するための補助誘導部材とからなり、該補助誘導部材を遊技機に設けたメダル排出シュートの排出口に対峙させ、且つ搬送レールに着脱自在に設けたことを特徴とする遊技機のメダル搬送装置。
【請求項４】
補助誘導部材は、遊技機下部に設けたメダル排出シュートの排出口に対峙されるメダル受入シュートと、メダル受入シュートから送り込まれたメダルを一枚ずつ立てた状態で搬送レールの溝部に投入するメダル誘導路とを有している請求項３に記載のメダル搬送装置。
【請求項５】
搬送レールの溝部の内幅寸法をメダル１枚分の厚みより広く、メダル２枚分の厚みより狭く形成して、補助誘導部材から導入されたメダルが１枚ずつ立った状態で自重により転動流下するようにした請求項２または４に記載の遊技機のメダル搬送装置。
【請求項６】
搬送レールの溝部の両側面を、メダルの径より高く形成した請求項５に記載の遊技機のメダル搬送装置。
【請求項７】
搬送レールの溝部に、該溝部を覆うカバー部材を着脱自在に装着した請求項１〜６の何れかに記載の遊技機のメダル搬送装置。
【請求項８】
搬送レールに溝部を単一列又は複数列形成した請求項１〜７の何れかに記載のメダル搬送装置。
【請求項９】
搬送レールの溝部を島内の各遊技機共用として、遊技機設置島に単一列の溝部を有する搬送レールを一本敷設した請求項８に記載の遊技機のメダル搬送装置。
【請求項１０】
搬送レールの溝部を島内の各遊技機専用として、遊技機設置島に複数列の溝部を有する搬送レールを１本敷設した請求項８に記載の遊技機のメダル搬送装置。
【請求項１１】
島内の遊技機を複数のブロックに分割し、搬送レールの溝部をブロック内の各遊技機共用として、各ブロック毎に単一列の溝部を有する搬送レールを一本ずつ敷設した請求項８に記載の遊技機のメダル搬送装置。
【発明の詳細な説明】
【技術分野】
【０００１】
本発明は、島状に配置されたスロットマシンからメダルを回収するための遊技機のメダル搬送装置に関するものである。
【背景技術】
【０００２】
スロットマシンはパチンコ店などの遊技場において島状に遊技機設置島を形成して配置されているが、スロットマシンから排出されたメダルは遊技機設置島の一側に回収された後研磨揚送などされて各スロットマシンに配給され再び使用に供される。メダルの搬送装置として、実公平７―２５９９０号公報には、本図１７に示すように、スロットマシンを受ける台板９１の下面部に、島機体側となる腰板状横合板９５に固定の断面Ｈ鋼状の回収レール９３を設け、該回収レール９３に回収コンベア９７を直接敷設した構造のメダル回収コンベア装置が開示されている。このメダル回収コンベア装置は、Ｈ鋼状の回収レール９３にベルトコンベアである回収コンベア９７の搬送部９７ａをべた置きに配設するとともに、この回収コンベア９７のリターン部９７ｂを回収レール９３の水平枠部９３ａの下面位置に敷設して、この回収コンベア９７を駆動させることにより落下孔９９から落下したメダルを回収するものである。
【特許文献１】実公平７−２５９９０号公報（第３図）
【０００３】
しかしながら、上記したようなメダル回収コンベア装置は、回収コンベア９７を駆動するための電力などの駆動源を必要とするほか、装置全体が大掛かりなものとなってしまう。また、メダル回収コンベア装置を容易に着脱することができないので、回収レール９３内に搬送上などのトラブルが発生した場合にそのトラブルを解消するために多大な工数を必要とするという問題があった。
【発明の開示】
【発明が解決しようとする課題】
【０００４】
本発明は上記した従来の問題点を解決し、駆動源を用いずともメダルを搬送することができ、且つ、簡単に取り付け取り外しを行うことのできる遊技機のメダル搬送装置を提供するためになされたものである。
【課題を解決するための手段】
【０００５】
上記の課題を解決するためになされた本発明の遊技機のメダル搬送装置は、複数台の遊技機が並列設置された遊技機設置島の端部方向へ遊技機から排出されたメダルを回収搬送するための遊技機のメダル搬送装置において、該メダル搬送装置は、遊技機設置島の下部に該端部方向に低く傾斜させて横設した凹状の溝部を有する搬送レールと、該遊技機から排出されたメダルを該溝部に一枚ずつ確実に搬送レールに誘導するための補助誘導部材とからなり、該補助誘導部材を遊技機に設けたメダル排出シュートの排出口に連設させ、且つ搬送レールに着脱自在に設けたことを特徴とするものであり、この発明において、補助誘導部材を、遊技機下部に設けたメダル排出シュートの排出口に連設されて、メダル排出シュートから排出されたメダルを一枚ずつ立てた状態で搬送レールの溝部に投入するメダル誘導路を有するものとすることができる。
【０００６】
また、本発明の遊技機のメダル搬送装置は、複数台の遊技機が並列設置された遊技機設置島の端部方向へ遊技機から排出されたメダルを回収搬送するための遊技機のメダル搬送装置において、該メダル搬送装置は、遊技機設置島の下部に該端部方向に低く傾斜させて横設した凹状の溝部を有する搬送レールと、該遊技機から排出されたメダルを該溝部に一枚ずつ確実に搬送レールに誘導するための補助誘導部材とからなり、該補助誘導部材を遊技機に設けたメダル排出シュートの排出口に対峙させ、且つ搬送レールに着脱自在に設けたことを特徴とするものであり、この発明において、補助誘導部材を、遊技機下部に設けたメダル排出シュートの排出口に対峙されるメダル受入シュートと、メダル受入シュートから送り込まれたメダルを一枚ずつ立てた状態で搬送レールの溝部に投入するメダル誘導路とを有するものとすることができる。
【０００７】
上記した発明において、搬送レールの溝部の内幅寸法をメダル１枚分の厚みより広く、メダル２枚分の厚みより狭く形成して、補助誘導部材から導入されたメダルが１枚ずつ立った状態で自重により転動流下するようにできるし、搬送レールの溝部の両側面を、メダルの径より高く形成することができるし、搬送レールの溝部に、該溝部を覆うカバー部材を着脱自在に装着することができる。
【０００８】
さらに、搬送レールには溝部を単一列又は複数列形成することができる。このような搬送レールを用いて、搬送レールの溝部を島内の各遊技機共用として、遊技機設置島に単一列の溝部を有する搬送レールを一本敷設することができるし、搬送レールの溝部を島内の各遊技機専用として、遊技機設置島に複数列の溝部を有する搬送レールを１本敷設することができるし、また、島内の遊技機を複数のブロックに分割し、搬送レールの溝部をブロック内の各遊技機共用として、各ブロック毎に単一列の溝部を有する搬送レールを一本ずつ敷設することもできる。
【発明の効果】
【０００９】
本発明の遊技機のメダル搬送装置は、遊技機設置島の下部に該端部方向に低く傾斜させて横設した凹状の溝部を有する搬送レールと、該遊技機から排出されたメダルを該溝部に一枚ずつ確実に搬送レールに誘導するための補助誘導部材とからなるものとして、該補助誘導部材を遊技機下部に設けたメダル排出シュートの排出口に連設させ、且つ搬送レールに着脱自在に設けたので、遊技機から排出されたメダルを補助誘導部材にて一枚ずつ立てた状態で搬送レールの溝部に投入したうえ、このメダルを搬送レールにて立てた状態で自重により転動流下させて島の端部に回収することができる。補助誘導部材をメダル誘導路を有するものとすることにより、これをメダル排出シュートの排出口に接続してメダルを一枚ずつ立てた状態で搬送レールの溝部に投入することができる。
【００１０】
また、補助誘導部材を、メダル受入シュートとメダル受入シュートに接続されたメダル誘導路とからなるものとして、メダル受入シュートをメダル排出シュートの排出口に対峙させることによってもメダルを一枚ずつ立てた状態で搬送レールの溝部に投入することができる。したがって、搬送コンベアやその駆動源を何ら必要としない。また、メダル搬送装置は、単に搬送レールと補助誘導部材とからなる極めてシンプルな構造のものであるので、遊技機設置島に簡単に取り付け、取り外しを行うことができる。  
【発明を実施するための最良の形態】
【００１１】
以下に図面を参照しつつ本発明の好ましい実施形態を説明する。
図１は、遊技機設置島に配設された本発明に係るメダル搬送装置を示す図であって、１はスロットマシンである遊技機、２は補助誘導部材、３は搬送レールである。遊技機１は台板１１上に載置されており、各遊技機１の下方にはメダルが投入されるメダル排出シュート４が設けられていて、このメダル排出シュート４は補助誘導部材２と接続されているので、メダル排出シュート４から排出されたメダルは補助誘導部材２を経由して搬送レール３に送出される。搬送レール３には、後述するように凹状の溝部が形成してあって、且つ遊技機設置島のメダル回収側端部に向けて低く傾斜させて各遊技機１の下方に横設されているので、搬送レール３は補助誘導部材２から投入されたメダルを転動流下させて遊技機設置島端部にまで搬送することができる。島端部には補助コンベア５が配設してあり、この補助コンベア５を介してメダルは揚送装置６に送り込まれた後、遊技機設置島上部に揚送され、次いで各遊技機１に分配、供給される。
【００１２】
メダル排出シュート４は、例えば図２に示すような構造のものであって、遊技機１に内蔵したメダルホッパー（図示しない）から溢れ出たメダルを受けるメダル排出シュート本体４１とメダル排出シュート本体４１の傾斜底面４１ａに延設された連結部４２とを有する。連結部４２は横断面矩形であってメダルが横になって１枚ずつ流入するように形成されている。この連結部４２には補助誘導部材２の一端が接続され、傾斜底面４１ａをスライドして流下したメダルをこの連結部４２が取り込んだ後に補助誘導部材２に導出する。
【００１３】
補助誘導部材２及び搬送レール３の詳細を図３〜６に示すが、補助誘導部材２は鋼線などの金属線が螺旋状に巻回されて横断面矩形ないし長円形に形成されたフレキシブルホースであって、内部はメダル誘導路２０となっている。この補助誘導部材２はメダル出口側端部を縦長にして搬送レール３の上側に接続してある。また、誘導メダル誘導路２０の横断面寸法は、縦、横ともメダル１枚が通過可能な寸法としてあって、複数のメダルが流入することによる詰まりを防止してある。そして、補助誘導部材２の先端には搬送レール３との接続用部材７が装着されている。接続用部材７は上側が開口された横断面Ｕ字形の下側部材７１と、この下側部材７１に逆Ｕ字形に組み付けられる上側部材７２とからなり、下側部材７１は上端に一対の係止突起７３を有し、この係止突起７３が上側部材７２に設けた係合穴７４に嵌め込まれていて補助誘導部材２の先端に固定されている。下側部材７１はさらに下方に延出する一対の係止爪７５を有している。
【００１４】
搬送レール３は、上部に開口を有する凹状の溝部３１が形成されたものであって、溝部３１の左右の側壁３２の間隔はメダル１枚分の厚みより広く、メダル２枚分の厚みより狭く形成してあって、メダル１枚が立った状態で転動して流下することができる。又、溝部３１の両側面３２はメダルの径より高く形成してあって、障害物によるメダル搬送への支障を受けにくいようにガードしてある。
【００１５】
また、溝部３１の両側壁３２の上端部には突条部３３が対向して形成されており、この突条部３３が接続用部材７の係止爪７５と噛み合わされて、補助誘導部材２が搬送レール３の上側に矩形断面を縦にして着脱自在に固定されている。したがって、補助誘導部材２を通過してきたメダルは縦になって搬送レール３の溝部３１に落下する。接続用部材７の下方には、メダル誘導部材７６が設けてあってメダルの搬送レール３への落下を円滑にしている。さらに、接続用部材７にはメダルの飛び出しを防止するための箱状ケース体７７が延設されている。なお、補助誘導部材２のメダル受入れ側端部は差し込み式で連結部４２に接続されているが、この場合適宜の接続用補助部材を用いてもよいことは言うまでもないことである。
【００１６】
搬送レール３は、一方の側面３２に凸部３４と、他方の側面３２に凸部３４に対応する形状の凹部３５が設けられており、この凹部３５に凸部３４を嵌合することにより、図７に示すように、複数本の搬送レール３を一体に組み立てることができる。ここで８は係止爪８１が形成された略Πの字形をした異物混入防止用のカバーであって、係止爪８１と前記突条部３３とが噛合されて接続用部材７の装着されていない搬送レール３の上部開口部分を覆っている。
【００１７】
搬送レール３には、図８に示すように複数列の溝部３１を一体に形成することもできる。そして、一体とした搬送レール３の両端を台板１１の下方にフックなどを用いて掛止することによって、図９に示すように各遊技機１に溝部３１を各々一本ずつ対応させて配設することができる。この場合にはメダル詰まりに伴う搬送停止の危険性を小さく抑えることができる。なお、搬送レール３は島から簡単に着脱できる。
【００１８】
図１０〜１２には第２の実施形態のメダル搬送装置を示す。この実施形態においても遊技機設置島の下部に搬送レール３が端部にかけて低く傾斜して横設され、各遊技機１と搬送レール３との間に補助誘導部材２が介装されている点において第１の実施形態と特に変わりはない。しかし、このメダル搬送装置においては遊技機設置島（図では島の片側）に配設された搬送レール３は、単一列の溝部３１が形成された搬送レール３一本のみである。すなわち、各遊技機１から排出されたメダルは補助誘導部材２を介して各遊技機１に共通の一列の溝部３１に流れ込み、一本の搬送レール３によってメダルが遊技機設置島端部にまで搬送される。
【００１９】
以上のように、搬送レール３を遊技機設置島に一本のみ敷設することができるし、また、遊技機１を複数のブロックに分割し、搬送レール３の溝部３１を各ブロック毎に共通として、搬送レール３を適宜の本数敷設することもできる。例えば、島を３ブロックに分割した場合には、単一列の溝部３１を有する搬送レール３を３本配設してもよいし、３列の溝部が形成された搬送レール３を１本配設することもできる。そして、遊技機１からのメダルの排出量、搬送レール３の輸送能力等に応じて、搬送レール３の設置本数を調整することにより、メダルを円滑に転動させて回収することができる。
【００２０】
図１３〜１６には上記したものとは別の形態の補助誘導部材を有するメダル搬送装置を示す。このメダル搬送装置における補助誘導部材１０２は、遊技機のメダル排出シュートに対峙されて、排出されたメダルを受けるためのメダル受入シュート１０４と、メダル受入シュート１０４の下部に一体に設けてメダルを側面により一枚ずつ立てた状態で誘導する樋状のメダル誘導路１２０を有する。メダル誘導路１２０はメダルの径よりやや高い側面１２０ａと底面１２０ｂとを有し、底面１２０ｂの下流側にはメダルが落下する開口部１２１が設けてある。両側面１２０ａ間の幅はメダル３、４枚を重ねた寸法としてあり、メダルがメダル誘導路１２０に上方斜めから流入し得るようにしてある。したがって、遊技機１から排出されたメダルは直ちにメダル受入シュート１０４の傾斜底面１４１ａをスライドして下りメダル誘導路１２０に立った状態で落下する。その後メダルは立った状態で自重によりメダル誘導路１２０内を転動流下し開口部１２１から搬送レール３に縦に落下し、さらに搬送レール３により島端部にまで搬送される。
補助誘導部材１０２を以上のような樋状のものとしても、遊技機１から排出されたメダルを搬送レール３まで一枚ずつ確実に誘導することができる。
【図面の簡単な説明】
【００２１】
【図１】第１の実施形態のメダル搬送装置が配設された遊技機設置島の正面図である。
【図２】メダル投入メダル排出シュートが備えられた遊技機の斜視図である。
【図３】メダル搬送装置の要部を拡大して示す斜視図である。
【図４】補助誘導部材と搬送レールとの接続部の側面における拡大断面図である。
【図５】補助誘導部材と搬送レールとの接続部におけるメダルの流れを説明する正面図である。
【図６】補助誘導部材と搬送レールとの接続部における平面の断面図である。
【図７】複数本が横に連設された搬送レールの側面の断面図である。
【図８】複数本が一体に形成された搬送レールの側面の断面図である。
【図９】複数本の搬送レールが配設された遊技機設置島の側面の断面図である。
【図１０】第２の実施形態のメダル搬送装置が配設された遊技機設置島の正面図である。
【図１１】図１０における一台の遊技機を拡大して示す正面図である。
【図１２】片側に一本の搬送レールが配設された遊技機設置島の側面の断面図である。
【図１３】第３の実施形態のメダル搬送装置を示す斜視図である。
【図１４】図１３におけるメダル誘導部材の正面図である。
【図１５】図１３におけるメダル誘導部材の側面図である。
【図１６】図１３におけるメダル誘導部材の平面図である。
【図１７】従来のメダル搬送装置を示す側面の断面図である。
【符号の説明】
【００２２】
１  遊技機
２  補助誘導部材
３  搬送レール
４  メダル排出シュート
３１  溝部
【図１】
2005074083.tif 000003
【図２】
2005074083.tif 000004
【図３】
2005074083.tif 000005
【図４】
2005074083.tif 000006
【図５】
2005074083.tif 000007
【図６】
2005074083.tif 000008
【図７】
2005074083.tif 000009
【図８】
2005074083.tif 000010
【図９】
2005074083.tif 000011
【図１０】
2005074083.tif 000012
【図１１】
2005074083.tif 000013
【図１２】
2005074083.tif 000014
【図１３】
2005074083.tif 000015
【図１４】
2005074083.tif 000016
【図１５】
2005074083.tif 000017
【図１６】
2005074083.tif 000018
【図１７】
2005074083.tif 000019